(57)【要約】【課題】  本発明は、丸端子ケーブル先端の丸端子の接続を担う端子台に関し、少ない操作量で丸端子を確実に固定する。【解決手段】  端子台１は、ハウジング２０と、コンタクト５０と、板ばね３０と、カム部材１０を有する。コンタクト５０は、ハウジング２０に差し込まれてきた丸端子７２を受け入れる。板ばね３０は、カム部材１０の回転操作によりコンタクト５０に押し当てられる。このコンタクト５０は、台部５２１とばね片５２２を有する。台部５２１は、板ばね３０に向かって突き出ていて挿入された状態の丸端子７２の穴７２１に入り込む突起５２１ａを有する。また、ばね片５２２は、台部５２１よりも板ばね３０側に位置し挿入されてきた丸端子７２を台部５２１に向けて付勢する。【選択図】        図１５
2015069963.tif 000002
【特許請求の範囲】
【請求項１】
穴を有する丸端子を先端に備えた丸端子付きケーブルの該丸端子を受容するコンタクトと、
前記コンタクトに隣接する位置に配置された板ばねと、
前記板ばねを前記コンタクトとで挟む位置に配置されて前記丸端子の挿入方向に延びる回転軸を有し、回転操作を受けて該板ばねを該コンタクトに押し当てるカム部材とを備え、
前記コンタクトが、
前記板ばねに向かって突き出て挿入された状態の前記丸端子の穴に入り込む突起を有する台部と、
前記台部よりも前記板ばね側に位置し挿入されてきた前記丸端子を該台部に向けて付勢するばね片とを有することを特徴とする端子台。
【請求項２】
前記コンタクトの前記台部が前記板ばねに向いた穴を有し、
該台部に形成されている前記突起が該穴を取り巻いて一周する形状の突起であり、
前記コンタクトの前記ばね片が前記台部の突起を避けて該突起の脇に延びるばね片であって、
前記板ばねが、前記コンタクトに向かって切り起こされ、該板ばねが前記カム部材により該コンタクトに押し当てられたときに、前記台部の、前記突起に取り巻かれた穴に入り込む切起し片を有することを特徴とする請求項１記載の端子台。
【請求項３】
前記板ばねが、前記カム部材に向かって突き出た突部を有し、前記カム部材が、回転操作を受けて該板ばねを前記コンタクトに押し当てたときに該突部を乗り越えた位置で停止して、該突部が該カム部材の逆向きの不用意な回転を阻止するものであることを特徴とする請求項１又は２記載の端子台。
【発明の詳細な説明】
【技術分野】
【０００１】
本発明は、ケーブル先端に終結された丸端子の接続を担う端子台に関する。
【背景技術】
【０００２】
従来より丸端子の穴にビスを挿通してそのビスを台座のネジ穴にネジ止めするタイプの端子台が広く使われている。このタイプの端子台の場合、丸端子を固定するために台座から完全に取り外された状態のビスを丸端子の穴に挿通して、そのビスを台座にネジ込む必要があり、丸端子の取付作業の負荷が大きい。このため、少しの操作量で丸端子を確実に固定することのできるタイプの端子台が望まれている。
【０００３】
特許文献１には、アース線をハウジング内に挿入し、カム面を有する操作レバーを回転操作することにより補助部材をアース線に向かって駆動して、アース線に係止金具を圧着する住宅用分電盤の中継用アース端子が開示されている。
【０００４】
また、特許文献２には、偏心して軸支された操作カムをドライバ等により回転操作することにより貫通開口への導体の挿入を可能とし、操作カムを逆向きに回転操作することにより導体を挟持する電気端子が開示されている。
【０００５】
さらに、特許文献３には、カム部を有する解除レバーを回転操作することにより鎖錠ばねの鎖錠孔内への電線の挿入を可能とし、解除レバーを逆向きに回転操作することにより電線を挟持する端子装置が開示されている。
【先行技術文献】
【特許文献】
【０００６】
【特許文献１】特開２０００−３０６６１７号公報
【特許文献２】特開２００７−１６５３２３号公報
【特許文献３】特開平８−６４２６６号公報
【発明の概要】
【発明が解決しようとする課題】
【０００７】
上掲の特許文献１の開示技術を丸端子の固定に適用した場合、丸端子に接続されたケーブルに引抜き方向の力が加わったときに丸端子が抜けてしまうおそれがある。
【０００８】
また、上掲の特許文献２，３についても同様であり、剥出しの電線の接続用であって、これを丸端子に適用した場合、不用意に引き抜かれるおそれがある。また、特許文献２，３は、電線の挿入方向とカムの回転軸方向とが異なるので、低背化が困難である。
【０００９】
本発明は、上記事情に鑑み、少ない操作量で丸端子を確実に固定することのできる低背の端子台を提供することを目的とする。
【課題を解決するための手段】
【００１０】
上記目的を達成する本発明の端子台は、
穴を有する丸端子を先端に備えた丸端子付きケーブルの丸端子を受容するコンタクトと、
コンタクトに隣接する位置に配置された板ばねと、
板ばねをコンタクトとで挟む位置に配置されて丸端子の挿入方向に延びる回転軸を有し、回転操作を受けて板ばねをコンタクトに押し当てるカム部材とを備え、
上記コンタクトが、板ばねに向かって突き出て挿入された状態の丸端子の穴に入り込む突起を有する台部と、その台部よりも板ばね側に位置し挿入されてきた丸端子を台部に向けて付勢するばね片とを有することを特徴とする。
【００１１】
本発明の端子台は、そのコンタクトが、丸端子の穴に入り込む突起を有する台部と丸端子をその台部に向けて付勢するばね片とを有し、さらにカム部材で板ばねをそのコンタクトに押し当てる構成を有する。このように、本発明のコネクタでは、丸端子の穴に台部の突起が入り込み、かつカム部材で板ばねがコンタクトに押し当てられるため、ケーブルに不用意に引き抜き方向の力が加わっても丸端子が抜け落ちることが防止される。また、カムを回転させるという少ない操作量で丸端子が確実に固定される。さらに、そのカムの回転軸は丸端子の挿入方向に延びているため、低背化が実現する。
【００１２】
ここで、本発明の端子台において、コンタクトの台部が板ばねに向いた穴を有し、その台部に形成されている突起がその穴を取り巻いて一周する形状の突起であり、コンタクトのばね片が台部の突起を避けてその突起の脇に延びるばね片であって、
板ばねがコンタクトに向かって切り起こされ、その板ばねがカム部材によりコンタクトに押し当てられたときに、台部の、突起に取り巻かれた穴に入り込む切起し片を有することが好ましい。
【００１３】
このように、板ばねが上記の切起し片を備えると、丸端子の不用意な抜け落ちが一層確実に防止される。
【００１４】
また、本発明の端子台において、上記板ばねが、カム部材に向かって突き出た突部を有し、上記カム部材が、回転操作を受けて板ばねをコンタクトに押し当てたときにその突部を乗り越えた位置で停止して、その突部がカム部材の逆向きの不用意な回転を阻止するものであることが好ましい。
【００１５】
この場合、例えば振動を受けたこと等によるカム部材の不用意な逆向きの回転が防止され、これにより丸端子の抜け落ちがさらに確実に防止される。
【発明の効果】
【００１６】
以上の本発明の端子台によれば、丸端子が少ない操作量で確実に固定される。
【図面の簡単な説明】
【００１７】
【図１】本発明の一実施形態としての端子台の斜視図である。
【図２】図１に示す端子台の分解斜視図である。
【図３】丸端子付きケーブルの先端部分の斜視図である。
【図４】カム部材の斜視図である。
【図５】前ハウジングの斜視図である。
【図６】板ばねの斜視図である。
【図７】Ｃリングの斜視図である。
【図８】コンタクトの斜視図である。
【図９】後ハウジングの斜視図である。
【図１０】前ハウジングの一部を示した拡大正面図である。
【図１１】前ハウジングの、図１０に示す矢印Ａ−Ａに沿う断面図である。
【図１２】組立後の端子台の一部を示した拡大正面図である。
【図１３】端子台の、図１２に示す矢印Ｂ−Ｂに沿う断面図である。
【図１４】丸端子付きケーブルの先端の丸端子が途中まで差し込まれたときの、図１２に示す矢印Ｂ−Ｂに沿う断面図である。
【図１５】丸端子が規定位置まで差し込まれたときの、図１２に示す矢印Ｂ−Ｂに沿う断面図である。
【図１６】図１２と同様、端子台の一部を示した拡大正面図である。
【図１７】端子台の、図１６に示す矢印Ｃ−Ｃに沿う断面図である。
【発明を実施するための形態】
【００１８】
以下、本発明の実施の形態を説明する。
【００１９】
図１は、本発明の一実施形態としての端子台の斜視図である。
【００２０】
この端子台１は、互いに結合された前ハウジング２０と後ハウジング６０を備えている。
【００２１】
この図１には、上下２段に並んで前ハウジング２０に収容されている合計３６個のカム部材１０（後述する）の頭部１１があらわれている。これらの頭部１１にはドライバを受け入れる十字の溝１１１が形成されている。また、この前ハウジング２０には、それぞれの頭部１１の下に、丸端子（後述する）を受け入れる端子受入口２１が設けられている。
【００２２】
図２は、図１に示す端子台１の分解斜視図である。
【００２３】
ここには、カム部材１０、前ハウジング２０、板ばね３０、Ｃリング４０、コンタクト５０、および後ハウジング６０が示されている。
【００２４】
図３は、丸端子付きケーブルの先端部分の斜視図である。
【００２５】
この丸端子付きケーブル７０は、ケーブル７１の先端に丸端子７２を備えたものである。この丸端子７２には穴７２１が形成されている。
【００２６】
図１，図２に示す端子台１は、この丸端子付きケーブル７０の丸端子７２を受け入れて固定するものである。
【００２７】
図４は、カム部材の斜視図である。ここで、図４（Ａ），図４（Ｂ）は、そのカム部材を、それぞれ前方斜め上、後方斜め下から見た斜視図である。
【００２８】
このカム部材１０は、全体として一次元的に延びた形状を有し、その延びた方向を回転軸とする部材である。このカム部材１０には、図１を参照して説明した、十字の溝１１１が形成された頭部１１が設けられている。この十字の溝１１１にはドライバ（図示せず）が差し込まれ、そのドライバの回転操作により、このカム部材１０が回転する。
【００２９】
また、このカム部材１０には、頭部１１の直ぐ後方に回転カム１２が設けられている。この回転カム１２は、カム部材１０が回転操作されたときに板ばね３０をコンタクト５０に押し当てる役割を担っている。
【００３０】
また、このカム部材１０には、その回転カム１２の後方に突起１３が立設している。この突起１３は、このカム部材１２を回転させたときに前ハウジング２０のストッパ２５（後述する図１０，図１１）に突き当たってカム部材１２のそれ以上の回転を阻止する役割を担っている。
【００３１】
また、このカム部材１０の最後尾には、一周にわたる周回溝１４が形成されている。この周回溝１４には、Ｃリング４０が嵌め込まれて、このカム部材１０が前ハウジング２０から抜け止めされる構造となっている。
【００３２】
図５は、前ハウジングの斜視図である。ここで、図５（Ａ），図５（Ｂ）は、その前ハウジングを、それぞれ前方斜め上、後方斜め下から見た斜視図である。
【００３３】
この前ハウジング２０には、図１を参照して説明した端子受入口２１が設けられている。この端子受入口２１の奥には、前ハウジング２０の背面から差し込まれたコンタクト５０が収容され、端子受入口２１から丸端子７２（図３参照）が挿入されると、その丸端子７２をコンタクト５０が受け入れる構造となっている。詳細は後述する。
【００３４】
また、この前ハウジング２０の、各々の端子受入口２１の上には、カム部材受入口２２が形成されている。カム部材１０は、このカム部材受入口２２から前ハウジング２０内に挿入され、カム部材１０の頭部１１を図１に示すように露出させた状態に前ハウジング２０内に収容される。
【００３５】
さらに、このハウジング２０には、その後端部に後ハウジング６０（図１，図２参照）との結合用の複数の溝２３が設けられており、さらにそれらの溝２３内に、後ハウジング６０の結合穴６４（図９参照）に入り込む結合突起２４が形成されている。
【００３６】
図６は、板ばねの斜視図である。ここで、図６（Ａ），図６（Ｂ）は、その板ばねをそれぞれ前方斜め上、後方斜め下から見た斜視図である。
【００３７】
この板ばね３０は、前ハウジング２０に圧入される基部３１から片持ち梁状に前方に延び、折れ曲がって後方の基部３１に向かって途中まで延びた形状を有する。
【００３８】
この板ばね３０は、前ハウジング２０内においてコンタクト５０に隣接し、そのコンタクト５０とカム部材１０とに挟まれた位置に配置されている。
【００３９】
この板ばね３０には、前方に延びる部分に、コンタクト５０に向かって切り起こされた切起し片３２を有する。この切起し片３２の作用については後述する。またこの板ばね３０には、折れ曲がって後方の基部３１に向かって延びる部分に、カム部材１０に向かって突き出た突部としてのビード３３が形成されている。このビード３３の作用についても後述する。
【００４０】
図７は、Ｃリングの斜視図である。
【００４１】
このＣリング４０は、前ハウジング２０のカム部材受入口２２から差し込まれたカム部材１０の最後尾の周回溝１４に嵌め込まれて、カム部材１０が前ハウジング２０から抜け出るのを防止する役割を担っている。
【００４２】
図８はコンタクトの斜視図である。ここで図８（Ａ），図８（Ｂ）は、そのコンタクトを、それぞれ前方斜め上、後方斜め下から見た斜視図である。
【００４３】
このコンタクト５０は、前ハウジング２０に圧入される基部５１の前方に第１接点部５２を備え、基部５１の後方に第２接点部５３を備えている。
【００４４】
第１接点部５２は、前ハウジング２０に収容されて、図３に示す丸端子付きケーブル７０の丸端子７２との接触を担う部分である。また、第２接点部５３は、前ハウジング２０と後ハウジング６０とに跨って収容されて、この端子台１（図１参照）によって丸端子付きケーブル７０との間の電気的な導通が仲介される他の機器等の接点との接触を担う部分である。
【００４５】
ここで、第１接点部５２は、台部５２１とばね片５２２を有する。
【００４６】
台部５２１には、前ハウジング２０に組み込まれたときの板ばね３０に向かって突き出た円環状の突起５２１ａが形成されている。この突起５２１ａは挿入された状態の丸端子７２の穴７２１（図３参照）に入り込む突起である。
【００４７】
また、この台部５２１には、その突起５２１ａに取り囲まれた穴５２１ｂを有する。すなわち、突起５２１ａは、その穴５２１ｂを取り巻いて一周する形状の突起である。この穴５２１ｂは、後述するようにして板ばね３０に形成されている切起し片３２（図６参照）が入り込む。
【００４８】
また、この台部５２１の突起５２１ａの後方には、切起し片からなるストッパ５２１ｃが設けられている。このストッパ５２１ｃには、差し込まれてきた丸端子７２の先端が突き当たり、丸端子７２がそれ以上挿入されないように丸端子７２の挿入方向の位置を規制するものである。
【００４９】
また、この第１接点部５２を構成しているばね片５２２は、台部５２１よりも板ばね３０側に位置し（図１３参照）、挿入されてきた丸端子７２を台部５２１に向けて付勢する役割を担っている。
【００５０】
丸端子７２は台部５２１とばね片５２２とに挟まれながら挿入され、ばね片５２２により台部５２１に押し当てられながら突起５２１ａを乗り越えて、その先端がストッパ５２１ｃに突き当てられる。このとき、突起５２１ａが丸端子７２の穴７２１に入り込む。この構造により丸端子７２を差し込んでいる作業者にクリック感を与え、丸端子７２が規定の位置まで挿し込まれたことを認識させることができる。
【００５１】
ここで、このばね片５２２は、二股のフォーク状に形成されていて、台部５２１の突起５２１ａを避けてその突起５２１ａの両脇に延びている。これにより、丸端子７２の穴７２１の両側が確実に台部５２１に押し当てられる。また、ばね片５２２の、このフォーク形状により、突起５２１ａに取り囲まれた穴５２１ｂを板ばね３０に向けて開放している。この台部５２１の穴５２１ｂには、板ばね３０に形成された切起し片３２が入り込む。
【００５２】
図９は、後ハウジングの斜視図である。ここで図９（Ａ），図９（Ｂ）は、後ハウジングを、それぞれ前方斜め上、後方斜め下から見た斜視図である。
【００５３】
この後ハウジング６０には、上下２段に並ぶ開口６１と、この後ハウジング６０の背面に形成され、開口６１に１対１に繋がる相手コンタクト差込口６２が形成されている。開口６１内には、コンタクト５０の第２接点部５３の一部が収容される。相手コンタクト差込口６２には、この端子台１に仲介された丸端子付きケーブル７０に電気的に接続される機器等（図示せず）の相手コンタクトが差し込まれる。この差し込まれた相手コンタクトは、この端子台１のコンタクト５０の第２接点部５３に電気的に接続される。
【００５４】
また、この後ハウジング６０には、その上下に複数ずつ、前方に突き出てそれぞれに結合穴６４が形成された結合部６３が形成されている。これらの結合部６３は、前ハウジング２０に設けられている溝２３に入り込む。そして、その溝２３内に設けられた結合突起２４（図５参照）が結合部６３に設けられた結合穴６４に入り込んで、前ハウジング２０と後ハウジング６０が互いに結合する。
【００５５】
図１０は前ハウジングの一部を示した拡大正面図である。
【００５６】
また、図１１は、前ハウジングの、図１０に示す矢印Ａ−Ａに沿う断面図である。
【００５７】
この前ハウジング２０には、端子受入口２１が上下２段に配列され、各々の端子受入口２１の上部にカム部材受入口２２が配列されている。このカム部材受入口２２の奥には、内向きに突出した形状のストッパ２５が設けられている。このストッパ２５は、カム部材１０を回転させたときにカム部材１０をそれ以上回転させないようにそのカム部材１０の回転を規制する役割りを担っている。各ストッパ２５は、第１突当面２５１と第２突当面２５２を有する。
【００５８】
第１突当面２５１には、板ばね３０をコンタクト５０への押当てから解除する向きにカム部材１０を回したときにカム部材１０の突起１３が突き当たり、これによりカム部材１０が回り止めされる。なお、図１２に示された状態のカム部材１０の姿勢を「解除姿勢」と称する。
【００５９】
また、第２突当面２５２には、板ばね３０をコンタクト５０に押し当てる向きにカム部材１０を回したときにカム部材１０の突起１３が突き当たり、これによりカム部材１０が回り止めされる。ここでは、この状態のカム部材１０の姿勢を「押当姿勢」と称する。
【００６０】
図１２は、組立後の端子台の一部を示した拡大正面図である。
【００６１】
また、図１３は、端子台の、図１２に示す矢印Ｂ−Ｂに沿う断面図である。
【００６２】
図１２に示すように、端子受入口２１を覗くと、その中に、図８に示すコンタクト５０の台部５２１に設けられた突起５２１ａおよびストッパ５２１ｃと、ばね片５２２が見えている。カム部材１０は、この段階では解除姿勢にある。
【００６３】
図１３に示すように、この段階では、板ばね３０はコンタクト５０から離れた位置にあり、コンタクト５０は、丸端子７２の受入れが可能な状態にある。
【００６４】
図１４は、丸端子付きケーブル先端の丸端子が途中まで差し込まれたときの、図１２に示す矢印Ｂ−Ｂに沿う断面図である。
【００６５】
この段階では、丸端子７２は途中まで差し込まれていて、その丸端子７２によってコンタクト５０のばね片５２２が持ち上げられている。
【００６６】
図１５は、丸端子が規定位置まで差し込まれたときの、図１２に示す矢印Ｂ−Ｂに沿う断面図である。
【００６７】
ここでは、丸端子７２の先端がコンタクト５０の台部５２１のストッパ５２１ｃに突き当てられ、丸端子７２の穴７２１にコンタクト５０の台部５２１の突起５２１ａが入り込んでいる。このように、コンタクト５０の台部５２１の突起５２１ａを丸端子７２の穴７２１に入り込ませることにより、丸端子７２の不用意な抜けを防止している。
【００６８】
図１６は、図１２と同様、端子台の一部を示した拡大正面図である。
【００６９】
また、図１７は、端子台の、図１６に示す矢印Ｃ−Ｃに沿う断面図である。
【００７０】
ここでは、カム部材１０は、図１２に示す解除姿勢から回転操作されて押当姿勢にある。この押当姿勢では、カム部材１０の突起１３が前ハウジング２０のストッパ２５の第２突当面２５２に突き当てられている。また、カム部材１０がこの押当姿勢にまで回転操作されると、そのカム部材１０の回転カム１２が板ばね３０に形成されているビード３３（図６（Ａ）を合わせて参照）を乗り越える。カム部材１０は、このビード３３の存在により、この図１６に示す押当姿勢から図１２に示す解除姿勢に向けての回転の初期に強い抵抗を受けることになる。したがって、このビード３３の存在により、押当姿勢にあるカム部材１０の、不用意な回転が防止される。
【００７１】
また、板ばね３０は、この押当姿勢にあるカム部材１０の回転カム１２によりコンタクト５０に押し当てられて、その板ばね３０の切起し片３２がコンタクト５０の台部５２１の穴５２１ｂに入り込む。この点も、丸端子７２の不用意な抜け防止に役立っている。
【００７２】
この端子台１から丸端子７２を抜き取るときは、カム部材１０を、図１６，図１７に示す押当姿勢から図１２に示す解除姿勢へと回転操作する。すると、コンタクト５０は板ばね３０の押圧から解除され、また、板ばね３０の切起し片３２がコンタクト５０の台部５２１の穴５２１ｂから抜け出る。このように、カム部材１０を解除姿勢にまで回転操作することによって、あとは、ケーブル７０を引いて丸端子７２を端子台１から抜き取ることができる。
【符号の説明】
【００７３】
１    端子台
１０    カム部材
１１    頭部
１２    回転カム
１３，５２１ａ    突起
１４    周回溝
２０    前ハウジング
２１    端子受入口
２２    カム部材受入口
２３    溝
２５，５２１ｃ    ストッパ
３０    板ばね
３１，５１    基部
３２    切起し片
３３    ビード（突部）
４０    Ｃリング
５０    コンタクト
５２    第１接点部
５３    第２接点部
６０    後ハウジング
６１    開口
６３    結合部
６４    結合穴
７０    丸端子付きケーブル
７１    ケーブル
７２    丸端子
１１１    十字の溝
２５１    第１突当面
２５２    第２突当面
５２１    台部
５２１ｂ，７２１    穴
５２２    ばね片
【図１】
2015069963.tif 000003
【図２】
2015069963.tif 000004
【図３】
2015069963.tif 000005
【図４】
2015069963.tif 000006
【図５】
2015069963.tif 000007
【図６】
2015069963.tif 000008
【図７】
2015069963.tif 000009
【図８】
2015069963.tif 000010
【図９】
2015069963.tif 000011
【図１０】
2015069963.tif 000012
【図１１】
2015069963.tif 000013
【図１２】
2015069963.tif 000014
【図１３】
2015069963.tif 000015
【図１４】
2015069963.tif 000016
【図１５】
2015069963.tif 000017
【図１６】
2015069963.tif 000018
【図１７】
2015069963.tif 000019